(57)【特許請求の範囲】
【請求項１】
本体（２）に布類を巻いて、人の手を用いて布類を絞るための絞り補助具であって、前記本体（２）は弾性を有する棒状の形状であり、前記本体（２）の表面に突起（３）を備える、布類の絞り補助具。
【請求項２】
前記突起（３）は隙間をあけながら斜め四方に、格子状に配置したことを特徴とする請求項１記載の布類の絞り補助具。
【請求項３】
前記突起（３）は、ひし形の四角柱である、請求項２記載の布類の絞り補助具。
【請求項４】
前記突起（３）は、スパイラル状であることを特徴とする請求項１記載の布類の絞り補助具。
【請求項５】
前記本体（２）は、弾性を有する筒状で外面内面を連通する複数の孔（４）を有する、請求項１から４のいずれか１項に記載の布類の絞り補助具。
【請求項６】
人の手を用いて布類を絞るための絞り補助具であって、請求項１から５のいずれか１項に記載の布類の絞り補助具と、布類の絞り補助具の上に巻いた布類のさらにその上に巻く弾性体の筒またはシートの別部材とを備える布類の補助具セット。
【請求項７】
本体（２）に布類を巻いて、人の手を用いて布類絞るための絞り補助具であって、前記本体（２）は、弾性を有する筒状で外面内面を連通する複数の孔（４）を有する布類の絞り補助具。
【発明の詳細な説明】
【技術分野】
【０００１】
本発明は、タオルや雑巾等の布類を頻繁に絞る人や、手指機能障害や握力低下で絞る時に痛みや困難を感じる人などの、負担を軽減する補助具に関する。
【背景技術】
【０００２】
従来のタオル絞り機として、機械を使い設置場所が必要な物がある（例えば、特許文献１，２）。金属製の為に重みがあり、取り扱いの不備による怪我等の心配がある。高価な為、布類の用途によって複数用意し使い分けするなど、気軽に揃えにくい。機械にタオルを取り付けたり機械のメンテナンスなどのわずらわしさがある。電動機の電源を必要とする物もある。  
【先行技術文献】
【特許文献】
【０００３】
【特許文献１】特開２０１０−３８５２２号公報
【特許文献２】特開２０００-２８３６４８号公報
【発明の概要】
【発明が解決しようとする課題】
【０００４】
従来のタオル絞り機は設置場所や、電源が必要の物がある。金属製で重みがあり、取り扱いの不備による怪我等の心配があった。高価な為、絞る布類の用途に応じて複数用意するなどの使い分けがしにくい。機械にタオルを取りつけたり、機械のメンテナンスなどのわずらわしさがある。
【０００５】
従来のタオル絞り機は機械で絞る為、絞り加減を手で確認しながら適度な水分の含み具合になるよう絞ることができない。細いハンドルを回して絞る物もあり、回すのに指先に力をかけなければならなかった。また、タオルを掛けるフックが回転するが、絞り終わった後に洗浄しにくく、回転軸の隙間から機械内部に洗剤や水が入りこむ可能性があった。
【課題を解決するための手段】
【０００６】
弾性を有する棒状の本体２と、前記本体２の表面に設けられる弾性体の突起３を備える、布類の絞り補助具。
【０００７】
前記突起３は隙間をあけながら斜め四方に、格子状に配置したことを特徴とする布類の絞り補助具。
【０００８】
前記突起３は、ひし形の四角柱である布類の絞り補助具。
【０００９】
前記突起３は、スパイラル状であることを特徴とする布類の絞り補助具。  
【００１０】
前記本体２は、弾性を有する筒状で、外面内面を連通する複数の孔４を有する布類の絞り補助具。
【００１１】
上述の布類の絞り補助具に巻いた布類の上に、更に別部材の滑り止め効果または布との接触を防ぐ、シートもしくは筒を被せた布類の絞り補助具。
【発明の効果】
【００１２】
本発明の布類の絞り補助具は、設置場所や電源も不要で、安価である。その為、タオル用、雑巾用、ふきん用等布類の用途に合うように複数用意するなど使い分けしやすく、軽く気軽に持ち運びできる。
【００１３】
金属の重みがないので、取扱い不備による怪我の心配がない。
【００１４】
絞り作業に、内からの突起の押圧力と本体弾性体の反発による弾力を利用し、数回に分けて軽く絞ることで、手指への負担を軽減することができる。
【００１５】
手指機能障害や握力低下の方には、適度な太さが楽であるため(例えば介護スプーンとして柄を太くした例など）、布の厚みに応じた適度な太さの本発明品を選ぶと絞りが楽になる。
【００１６】
機械のメンテナンスや使用後に分解洗浄や組み立ての手間もなく、表面をさっと洗って立てかけ乾燥させるだけでよい。
【００１７】
自分で絞るので、体をふくタオルや床をふく雑巾など、用途にあった液体の含み具合を確認しながら絞れる。
【００１８】
弾性部材を使用しており、しっかり絞り切ることが可能で、絞りの圧縮に対しての耐久性もある。
本体に突起がある事で、布類を本体にまとわり易くして滑らない。
【００１９】
図２の布類の絞り補助具は、右効き・左利きどちらでも使用できるし、図3のスパイラルの方向を反対にするとどちらの利き手にも対応できる。
【００２０】
図４の布類の絞り補助具は、縦絞りで手前を低くしながら絞ると、本体２筒状の中からも液体を落としながら絞る事が出来る。
【００２１】
本体の上に巻いた布類に更に別部材で弾性体のシートや筒を被せ絞ると、手荒れや汚れを防ぐ効果がある。また、表面を滑り止め加工にすると、手が滑らず更に絞りやすくなる。
【図面の簡単な説明】
【００２２】
【図１】本発明の第１実施形態の布類の絞り補助具の構成。
【図２】本発明の第２実施形態の１例の布類の絞り補助具の構成。
【図３】本発明の第３実施形態の布類の絞り補助具の構成。
【図４】本発明の第４実施形態の布類の絞り補助具の構成。
【図５】本発明の布類の絞り補助具の使用図。
【発明を実施するための形態】
【００２３】
〈第１実施形態〉
（１）構成
棒状で、円柱状・円筒状・その他形状の弾性体でなる本体２と、その本体２の表面に複数の突起３を設け、その上からタオル・雑巾等布類５を巻いて絞りやすくした布類の絞り補助具１である。突起３の形状については、布類に圧力のかけやすい面を持った形状であればよく、複数個有する。配置に関しては、それぞれ液体が流れる隙間を開けて配置する。本体の長さは、使用者が両手を並べて握り少し余るくらいの長さとする。
（２）効果
設置場所や電源が不要で、軽く安価である。その為、布類の用途によって複数用意し使い分けができ、気軽に持ち運びできる。適度な太さや、内からの突起の押圧力と本体弾性体の反発力による弾力で、軽く数回に分けて絞るため手指に負担をかけにくい。機械のメンテナンスや使用前後の分解洗浄や組み立ての手間もなく、表面をざっと洗って立てかけ乾燥させるだけでよい。金属の重みが無いので、取り扱い不備による怪我の心配もない。自分で絞るので、用途にあった液体の含み具合を確認しながら絞れる。弾性部材を使用している為、絞り切ることができ、弾力があり孔がない為に、絞りの圧縮に対して耐久性もある。突起がある事で、布類を本体にまとわり易くして滑らない。
（３）使い方
図５に示される様に、本発明の布類の絞り補助具１に、液体を含んだタオルや雑巾等布類５を巻き、数回に分けて軽く絞る。布類が用途にあった液体の含み加減になるまで続ける。
（４）変形例
本体２の変形例としては、円柱、円筒、多角柱でもよく、太さは、手の大きさや布の厚みに応じて選ぶと良い。
【００２４】
〈第２実施形態〉
（１）構成
突起３を隙間をあけながら斜め四方に、格子状に配置したこと以外は第１実施形態記載の布類の絞り補助具と同様である。
（２）効果
第１実施形態と同様。
（３）使い方
第１実施形態と同様。
（４）変形例
突起３の変形例として、上面が平らで押圧しやすい形であれば、楕円形でも円柱でもひし形でもその他の形でも厚みのある物なら可能である。
【００２５】
〈第３実施形態〉
（１）構成
突起３が、単数または複数のスパイラル状であることを特徴とする第１実施形態記載の布類の絞り補助具。  
（２）効果
第１実施形態と同様。
（３）使い方
第１実施形態と同様。
（４）変形例
スパイラルが、右利き左利きの人にあった巻き方の方向にすると絞りやすい。又、スパイラルが分断されていたり、斜め方向の厚みのある形状の配列でも可能である
【００２６】
〈第４実施形態〉
（１）構成
本体２が、弾性を有する筒状であって、外面内面を連通する複数の孔４を有すること以外は第１実施形態記載の布類の絞り補助具と同様である。
（２）効果
第１実施形態同様。また、本体２が筒状で、外面と内面を連通する孔を複数有するため、筒の内側からも液体を排出することができる。
（３）使い方
第１実施形態同様。
（４）変形例
突起３は第１〜３実施形態と同様であってもよいし、突起のないものでもよい。
【００２７】
各実施形態に巻いた布類の上に、別部材の弾性体の筒またはシートを重ねて巻くことで、手荒れや汚れを防ぐ効果がある。また、表面を滑り止め加工にすると、手が滑らず更に絞りやすくなる。
【符号の説明】
【００２８】
１    本発明品の布類の絞り補助具  
２    本体
３    突起
４    本体の外面内面を連通する孔
５    タオル・雑巾等布類
【要約】
【課題】
設置場所の確定、電源、分解洗浄や乾燥後の組み立て、機械のメンテナンスもいらず、取り扱い不備による怪我等の心配もない。本発明品の突起や弾性体の効果で、手指の負担を軽減する布類の絞り補助具を提供する。
【解決手段】
棒状で、円柱・円筒・その他の形状の弾性体からなる本体２と、本体２の表面に複数の突起３を備え、その上からタオルまたは雑巾等布類を巻いて液体を絞りやすくした布類の絞り補助具である。突起は、ランダムに配置された突起や、ひし形の四角柱などを隙間をあけながら斜め四方に格子状に配置したり、スパイラル状であったりする。本体を筒状にし、内面と外面を連通させた孔４を複数設け、突起を設けた物でも可能である。
又、本体の上に巻いた布類に更に別部材で弾性体のシートや筒をかぶせ絞ると、手荒れや汚れを防ぐ効果がある。また、表面を滑り止め加工にすると、手が滑らず更に絞りやすくなる。
【選択図】  図５【図１】
0005810354.tif 000002
【図２】
0005810354.tif 000003
【図３】
0005810354.tif 000004
【図４】
0005810354.tif 000005
【図５】
0005810354.tif 000006